(57)【要約】【課題】パチンコ遊技機の各釘を高い自由度で調整でき、且つ、店舗全体の総出玉数を所定範囲内に収めることのできるパチンコ遊技機の釘調整管理システムを提案すること。【解決手段】パチンコ遊技機の釘調整管理システム１は、透過型表示器２１を備えた釘調整補助装置２と、データ交換手段６を介して釘調整補助装置２に接続されている中央管理コンピュータ４とを有している。釘調整補助装置２を用いて行われた釘の調整作業の履歴が作業履歴データベース４７に蓄積される。このデータベース４７を用いて、複数のパチンコ遊技機５の各釘の姿勢と、これら複数のパチンコ遊技機の所定期間における総出玉数との関係を表す統計データを生成できる。パチンコ店の管理者は、この統計データを見ることにより、店舗の総出玉数を一定の範囲に収めつつ、高い自由度で各パチンコ遊技機の釘調整を行うことが可能になる。【選択図】　　　図２
2004049769.tif 000002
【特許請求の範囲】
【請求項１】
パチンコ遊技機の各釘の姿勢を調整するために用いる釘調整補助装置と、
前記釘調整補助装置を用いて行われる釘調整作業を管理するための管理装置と、
前記釘調整補助装置と前記管理装置の間でデータ交換を行うためのデータ交換手段とを有し、
前記釘調整補助装置は、透過型表示器と、この透過型表示器の表示画面上に、調整対象の釘の目標姿勢を、前記パチンコ遊技機の盤面手前から見た状態で画像表示させるための表示制御器とを備えている、
ことを特徴とするパチンコ遊技機の釘調整管理システム。
【請求項２】
請求項１において、
前記管理装置は、
前記パチンコ遊技機の各釘についての複数の目標姿勢に関する画像データを管理している釘姿勢のマスターデータベースと、
前記データ交換手段を介して、前記マスターデータベースに保持されている釘姿勢に関する画像データを前記釘調整補助装置に供給するマスターデータ切り替え制御部と、
前記データ交換手段を介して、前記釘調整補助装置から供給される調整後の複数のパチンコ遊技機における各釘の姿勢に関するデータを一元管理する作業履歴データベースとを有していることを特徴とするパチンコ遊技機の釘調整管理システム。
【請求項３】
請求項２において、
前記管理装置は、前記作業履歴データベース内のデータに基づいて、前記複数のパチンコ遊技機の各釘の姿勢と、これら複数のパチンコ遊技機の所定期間における総出玉数との関係を求める統計データ生成手段を備えていることを特徴とするパチンコ遊技機の釘調整管理システム。
【請求項４】
請求項３において、
前記釘調整補助装置は、前記透過型表示器の表示画面上に表示される画像の切り替え指示などを行うための操作部を備えており、
前記表示制御器は、前記データ交換手段を介して供給された各釘毎の目標姿勢に関する画像情報を記憶保持しているマスターデータ記憶部を備え、前記操作部からの入力および前記マスターデータ記憶部に保持されている釘画像情報に基づき、前記透過型表示器の表示画面上に表示される釘画像を切り替え表示することを特徴とするパチンコ遊技機の釘調整管理システム。
【請求項５】
請求項４において、
前記操作部は、各パチンコ遊技機を特定するための情報を入力するための入力部分と、釘調整作業の終了を入力するための入力部分とを備えており、
前記表示制御器は、前記操作部からの入力情報に基づき、調整作業が終了した釘および釘調整作業が全て終了したパチンコ遊技機に関する情報を、前記目標姿勢と対応付けした形態で、前記データ交換手段を介して前記管理装置に供給することを特徴とするパチンコ遊技機の釘調整管理システム。
【請求項６】
請求項１ないし４のうちのいずれかの項において、
前記データ交換手段は、有線あるいは無線による通信回線、および／または、磁気カード、ＩＣメモリなどの記録媒体を介して、データの交換を行うことを特徴とするパチンコ遊技機の釘調整管理システム。
【発明の詳細な説明】
【０００１】
【発明の属する技術分野】
本発明は、パチンコ店におけるパチンコ遊技機の各釘を調整して釘間隔などを目標とする許容範囲内の値に設定するために用いられる釘調整管理システムに関するものである。
【０００２】
【従来の技術】
パチンコ遊技機における釘の姿勢、特に釘の間隔は、当該パチンコ遊技機の出玉数に影響するので、パチンコ店経営者にとっては重要である。特に、フィーバー台等におけるスタート始動口上部に配置されている命釘と呼ばれる一対の釘の姿勢はパチンコ遊技機の出玉数に直接に影響を及ぼすので極めて重要である。従って、従来から過去の出玉数等を参考にして、各パチンコ遊技機ごとに専門の技術者が各釘の姿勢をハンマーなどを用いて定期的に調整している。例えば、釘間隔については専用のゲージを釘の間に入れてその調整を行っている。
【０００３】
【発明が解決しようとする課題】
ここで、パチンコ店経営者としては、店舗全体の総出玉数をコントロールすることがその経営上重要である。しかしながら、従来においては、各パチンコ遊技機の釘調整を個別に行うことができるものの、店舗全体の総出玉数を効率的にコントロールできるように、釘調整を行うことが極めて困難であった。このため、各パチンコ遊技機における釘調整を大胆かつ柔軟に行うことができず、これがパチンコ店における射幸性の低下の一因となっている。
【０００４】
従って、店舗全体の総出玉数を一定の範囲に収めつつ、各パチンコ遊技機における釘調整を高い自由度で行うことができれば、遊技者の射幸性を向上させ、パチンコ店にとっても安定した収益を確保可能になる。
【０００５】
本発明の課題は、かかる点に鑑みて、パチンコ店におけるパチンコ遊技機の釘の調整状態を一元管理でき、これにより、店舗全体の総出玉数を一定の範囲に収めつつ、各パチンコ遊技機における釘調整に高い自由度を与えることのできるパチンコ遊技機の釘調整管理システムを提案することにある。
【０００６】
【課題を解決するための手段】
上記の課題を解決するために、本発明のパチンコ遊技機の釘調整管理システムは、
パチンコ遊技機の各釘の姿勢を調整するために用いる釘調整補助装置と、
前記釘調整補助装置を用いて行われる釘調整作業を管理するための管理装置と、
前記釘調整補助装置と前記管理装置の間でデータ交換を行うためのデータ交換手段とを有し、
前記釘調整補助装置は、透過型表示器と、この透過型表示器の表示画面上に、調整対象の釘の目標姿勢を、前記パチンコ遊技機の盤面手前から見た状態で画像表示させるための表示制御器とを備えていることを特徴としている。
【０００７】
ここで、前記管理装置は、前記パチンコ遊技機の各釘についての複数の目標姿勢に関する画像データを管理している釘姿勢のマスターデータベースと、前記データ交換手段を介して、前記マスターデータベースに保持されている釘姿勢に関する画像データを前記釘調整補助装置に供給するマスターデータ切り替え制御部と、前記データ交換手段を介して、前記釘調整補助装置から供給される調整後の複数のパチンコ遊技機における各釘の姿勢に関するデータを一元管理する作業履歴データベースとを有していることが望ましい。
【０００８】
また、前記管理装置は、前記作業履歴データベース内のデータに基づいて、前記複数のパチンコ遊技機の各釘の姿勢と、これら複数のパチンコ遊技機の所定期間における総出玉数との関係を求める統計データ生成手段を備えていることが望ましい。
【０００９】
一方、前記釘調整補助装置は、前記透過型表示器の表示画面上に表示される画像の切り替え指示などを行うための操作部を備え、前記表示制御器は、前記データ交換手段を介して供給された各釘毎の目標姿勢に関する画像情報を記憶保持しているマスターデータ記憶部を備え、前記操作部からの入力および前記マスターデータ記憶部に保持されている釘画像情報に基づき、前記透過型表示器の表示画面上に表示される釘画像を切り替え表示する構成とすることができる。
【００１０】
この場合、前記操作部は、各パチンコ遊技機を特定するための情報を入力するための入力部分と、釘調整作業の終了を入力するための入力部分とを備え、前記表示制御器は、前記操作部からの入力情報に基づき、調整作業が終了した釘および釘調整作業が全て終了したパチンコ遊技機に関する情報を、前記目標姿勢と対応付けした形態で、前記データ交換手段を介して前記管理装置に供給するように構成することができる。
【００１１】
次に、前記管理装置と前記釘調整補助装置の間でデータ交換を行うための前記データ交換手段は、有線あるいは無線による通信回線、および／または、磁気カード、ＩＣメモリなどの記録媒体を介して、データの交換を行う構成とすることができる。
【００１２】
【発明の実施の形態】
以下に、図面を参照して本発明を詳細に説明する。
【００１３】
（全体構成）
図１は本発明を適用したパチンコ店におけるパチンコ遊技機の釘調整管理システムの一例を示す全体構成図である。本例の釘調整管理システム１は、パチンコ店におけるパチンコ遊技機の各釘を調整するために用いる釘調整補助装置２と、釘調整補助装置２を用いて調整された釘に関するデータを集計して管理するための管理装置としての中央管理コンピュータ４とを備えた構成となっている。
【００１４】
（釘調整補助装置）
釘調整補助装置２は、一つのパチンコ店において１台、一般には複数台用意される手持ち式のものであり、パチンコ店スタッフがこれを使用することによって、後述するように、各パチンコ遊技機における各釘の姿勢を簡単に目標とする姿勢になるように調整できる。釘調整補助装置２と中央管理コンピュータ４の間で各種のデータを交換するためのデータ交換手段６としては各種の形態のものを採用できる。例えば、ＲＳ２３２Ｃ規格などによる有線方式、ブルートゥースやＩＥＥＥ８０２．１１規格による無線方式などのデータ伝送方式を採用できる。この代わりに、あるいはこれに併用して、磁気カード、ＩＣカードなどの記録媒体を介してデータ交換を行う方式を採用することもできる。
【００１５】
中央管理コンピュータ４は、釘調整補助装置２から供給された釘調整に関するデータを集計して、これに基づき当該パチンコ店における各種の統計データを生成して表示する機能を備えている。パチンコ店経営者は、中央管理コンピュータ４によって生成されて出力される統計データに基づき、各パチンコ遊技機の釘調整を行い、これによって当該パチンコ店における総出玉数を調整して、経営効率の向上などを図ることが可能である。
【００１６】
次に、図２は、本例の釘調整補助装置２の構成および当該釘調整補助装置２を用いた釘調整方法を示すための説明図である。また、図３は釘調整補助装置２の制御系を示す概略ブロック図である。
【００１７】
本例の釘調整補助装置２は、液晶あるいはＥＬ素子からなる透過型表示器２１と、この透過型表示器２１の表示画面２２に、調整対象の釘、例えば釘５２、５３の目標姿勢を、パチンコ遊技機５の盤面５１の手前から見た状態で画像表示させるための表示制御器２３とを有している。透過型表示器２１は表示画面２２が３〜５インチ程度の小型のものであり、ハンドグリップ２４が備わっており、片手で持つことができるようになっている。また、透過型表示器２１と表示制御器２３は分離独立型としてあり、これらの間のデータ交換手段は、図示の例では通信用ケーブル２５を介して行う方式となっている。
【００１８】
さらに、透過型表示器２１は各種のキーが配列された操作部２６を備えている。この操作部２６のキー２６ａを操作することにより、表示画面２２に表示される釘画像を切り替え可能となっている。また、各パチンコ遊技機５を特定するための情報（台番号など）を入力するための入力キー群２６ｂと、釘調整作業の終了を入力するための作業終了キー２６ｃなどが配列されている。
【００１９】
図３に示すように、本例の釘調整補助装置２の表示制御器２３の制御系は、マイクロプロセッサなどを中心にして構成される表示制御用の制御・演算部３１と、透過型表示器２１との間の入出力インタフェース３２と、各種のデータや制御プログラムを記憶保持しているメモリ３３と、中央管理コンピュータ４との間で通信を行うための通信制御部３４を含む構成とされている。
【００２０】
メモリ３３は、各釘毎に少なくとも一種類の目標姿勢に関する画像情報を記憶保持しているマスターデータ記憶部３５を備えている。制御・演算部３１は、透過型表示器２１の操作部２６からの入力およびマスターデータ記憶部３５に保持されている釘画像情報に基づき、透過型表示器２１の表示画面２２上に表示される釘画像を切り替え表示制御を行う。
【００２１】
また、メモリ３３は、制御・演算部３１の制御の下に、操作部２６からの入力情報に基づいて、調整作業が終了した釘および釘調整作業が全て終了したパチンコ遊技機に関する情報を記憶保持する作業履歴記憶部３６を備えている。本例の作業履歴記憶部３６は、調整作業が終了した釘を、目標姿勢と対応付けした形態で記憶保持するようにデータ構造が構築されている。
【００２２】
なお、マスターデータ記憶部３５および作業履歴記憶部３６を省略することも可能である。この場合には、データ交換手段を介して、中央管理コンピュータ４の側からマスターデータを取得して表示し、また、作業履歴を中央管理コンピュータ４の側に送信して、中央管理コンピュータ４の側において作業履歴を記憶保持すればよい。
【００２３】
（中央管理コンピュータ）
次に、図４は本例の中央管理コンピュータ４の制御系を示す概略ブロック図である。中央管理コンピュータ４は、マイクロプロセッサを中心に構成される制御・演算部４１を備え、汎用のコンピュータ装置に、無線通信モジュール、ディスプレイ、キーボード、プリンタなどの周辺機器が接続され、また、これらの制御プログラムがインストールされた構成となっている。すなわち、中央管理コンピュータ４は、制御・演算部４１と、通信モジュール制御用の通信制御部４２と、ディスプレイ制御用の表示制御部４３と、メモリ４４と、入出力機器のための入出力インタフェース４５を含む構成とされている。
【００２４】
また、中央管理コンピュータ４は、ハードディスク装置などの補助記憶装置を備えており、ここに、後述するマスターデータベース４６および作業履歴データベース４７が構築される。この中央管理コンピュータ４を、パチンコ玉の供給を管理する機能を備えたホールコンピュータに兼用させることができる。また、かかる機能を備えたホールコンピュータに接続された構成とすることもできる。
【００２５】
制御・演算部４１は、メモリ４４から読み出される制御プログラムを実行することにより、通信モジュールを介して釘調整補助装置２から送信される作業履歴データを取得する機能、および、受信したデータに基づき、各種の演算および制御を実行する機能を備えている。本例では、各パチンコ遊技機５の各釘（５２、５３）についての複数の目標姿勢に関する画像データを管理している釘姿勢のマスターデータベース４６を備えており、制御・演算部４１は、マスターデータベース４６に保持されている釘姿勢に関する画像データを選択的に釘調整補助装置２に供給するマスターデータ切り替え制御機能を備えている。
【００２６】
また、釘調整補助装置２から供給される作業履歴データ（調整後の複数のパチンコ遊技機における各釘の姿勢に関するデータ）を一元管理する作業履歴データベース４７を構築する機能を備えている。作業履歴データベース４７は、釘調整補助装置２から送信されるデータをデータベース化したものであり、例えば、そのフィールドとして、識別子であるＩＤと、調整対象のパチンコ遊技機の台番号と、各釘の調整に用いたマスターデータ（釘画像データの種類）と、調整日時の各データ領域を備えている。
【００２７】
さらに、制御・演算部４１は、作業履歴データベース４７内のデータに基づいて、複数のパチンコ遊技機５の各釘の姿勢と、これら複数のパチンコ遊技機の所定期間における総出玉数との関係を求める統計データ生成機能を備えている。
【００２８】
（動作説明）
この構成の釘調整管理システム１における釘調整作業は、次のように、釘調整補助装置２を用いて行われる。作業に先だって、中央管理コンピュータ４の側からデータ交換手段６を介して、釘調整補助装置２に各釘のマスターデータ（釘画像）が供給され、このデータがマスターデータ記憶部３５に記憶保持される。
【００２９】
この状態で、まず、作業を行うパチンコ遊技機５の前に立ち、釘調整補助装置２の透過型表示器２１の操作部２６におけるキー群２６ｂを介してパチンコ遊技機５の台番号を入力して、作業対象のパチンコ遊技機５を特定する。この台番号は作業履歴記憶部３６に保持される。
【００３０】
次に、透過型表示器２１の表示画面２２上に、調整対象の釘、例えば釘５２、５３の目標とする姿勢（釘画像）５２ａ、５３ａを画像表示する。本例では、例えば、キー２６ａを操作する毎にシーケンシャルに調整対象の釘あるいは釘群の姿勢が切り替え表示される。釘画像５２ａ、５３ａは、パチンコ遊技機５の盤面５１の手前から見た状態の釘の姿を表す画像である。
【００３１】
ここで、マスターデータにはその属性情報として各釘画像に対応付けされた位置合わせ用の指標が含まれており、これもマスターデータ記憶部３５に記憶保持されている。従って、釘画像５２ａ、５３ａが表示されると、これらをパチンコ遊技機５の盤面５１上の所定位置に位置合わせするための基準となる指標も同時に表示される。例えば、盤面５１上に表示されている図柄５４に対応する位置合わせ用の画像５４ａが表示される。
【００３２】
作業者は、当該表示画面２２を介して、盤面５１を透視して、図柄５４に位置合わせ用の画像５４ａを一致させる。しかる後に、この状態で、調整対象の釘５２、５３が表示画面２２上の釘画像５２ａ、５３ａに一致するように、当該調整対象の釘５２、５３の姿勢を調整する。例えば、ハンマーなどを用いて、釘５２、５３を叩き、これらの間隔、向きなどを調整して、透過型表示器の表示画面２２に表示されている釘画像５２ａ、５３ａに一致させる。
【００３３】
釘調整作業が終了した後は、作業終了キー２６ｃを操作する。作業終了キー２６ｃを押すと、調整作業が終了した釘５２、５３に関する情報が、当該釘５２、５３を調整するために用いた釘画像情報と対応付けした形態で作業履歴記憶部３６に記憶保持される。
【００３４】
この後は、キー２６ａを操作して別の釘画像を表示させ、この釘画像に対応する盤面５１上の釘あるいは釘群の調整作業を行う。この場合にも、位置合わせ用の指標が同時に表示される。
【００３５】
このようにして１つのパチンコ遊技機５における所定箇所、あるいは全ての釘の調整が終了した後に作業終了キー２６ｃを押すと、当該パチンコ遊技機５の釘調整作業が終了した旨の情報が作業履歴記憶部３６に記憶保持される。また、当該作業履歴記憶部３６に保持されたパチンコ遊技機５に関する釘調整履歴情報がデータ交換手段６を介して、中央管理コンピュータ４の側に伝送され、その作業履歴データベース４７に蓄積される。この後は、調整の必要な各パチンコ遊技機について同様な手順で釘調整作業を行う。各パチンコ遊技機について釘調整作業が終了する毎に作業履歴データが中央管理コンピュータ４に送信され、その作業履歴データベース４７が構築されていく。
【００３６】
（実施例の効果）
このように、本例の釘調整管理システム１における釘調整補助装置２を用いた釘調整作業においては、透過型表示器２１の表示画面上に表示されている釘画像に一致するようにパチンコ遊技機５の盤面５１上の各釘（５２、５３）を調整すればよい。従って、熟練を必要とすることなく各釘の姿勢を簡単に目標とする状態に調整できる。また、透過型表示器２１は手持ち式であるので、片手で当該透過型表示器２１を持ち、他方の手でハンマーなどの釘調整用の工具を用いて作業を行うことができるので、調整作業も容易である。さらには、表示画像を切り替えることにより、盤面上の各釘を調整できるので、効率良く各釘の調整作業を行うことができる。
【００３７】
これに加えて、作業履歴記憶部３６には作業履歴が保持されるので、例えば、当該作業履歴を表示させることにより、重複作業を回避でき、また、未調整の釘が残ってしまうことも防止できる。
【００３８】
また、同一の釘に対して、複数の釘画像（マスターデータ）を割り当て、選択して表示すれば、各釘の調整状態を簡単に切り替えることができる。
【００３９】
次に、中央管理コンピュータ４の作業履歴データベース４７には各パチンコ遊技機５毎に釘調整の作業履歴が記録保持される。中央管理コンピュータ４の使用者は、キーボードなどの入力装置を操作して、作業履歴データベース４７にアクセスして、店舗全体の釘の調整状態を確認できる。
【００４０】
また、中央管理コンピュータ４により統計データを生成することができる。すなわち、制御・演算部４１は、作業履歴データベース４７内のデータに基づいて、複数のパチンコ遊技機５の各釘の姿勢と、これら複数のパチンコ遊技機の所定期間における総出玉数との関係を表す統計データを生成可能である。使用者は、このような統計データを見ることにより、店舗の総出玉数を一定の範囲に収めつつ、高い自由度で各パチンコ遊技機の釘調整を行うことが可能になる。
【００４１】
【発明の効果】
以上説明したように、本発明のパチンコ遊技機の釘調整管理システムによれば、パチンコ店における多数のパチンコ遊技機の釘調整を一元管理して、店舗全体の総出玉数を一定の範囲に収めつつ、各パチンコ遊技機における釘調整に高い自由度を与えることができる。よって、遊技者にとっては射幸性の高いパチンコ遊技機を提供でき、同時にパチンコ店にとっては安定した収益を確保可能な釘調整管理を行うことが可能になる。
【００４２】
また、本発明の釘調整管理システムでは、釘画像が表示された透過型表示器を介して、パチンコ遊技機の盤面上の釘を透視し、釘画像に一致するように実際の釘を調整可能である。よって、熟練を要することなく、しかも正確に各釘の間隔などを調整することができる。
【図面の簡単な説明】
【図１】本発明を適用したパチンコ遊技機の釘調整管理システムの一例を示す概略ブロック図である。
【図２】図１の釘調整補助装置の構成、および当該釘調整補助装置を用いた釘調整方法を示すための説明図である。
【図３】図１の釘調整補助装置の制御系を示す概略ブロック図である。
【図４】図１の中央管理コンピュータの制御系を示す概略ブロック図である。
【符号の説明】
１　　パチンコ遊技機の釘調整管理システム
２　　釘調整補助装置
４　　中央管理コンピュータ
５　　パチンコ遊技機
６　　データ交換手段
２１　透過型表示器
２２　表示画面
２３　表示制御器
２４　ハンドグリップ
２５　通信ケーブル
２６　操作部
２６ａ、２６ｂ、２６ｃ　キー
３１　制御・演算部
３３　メモリ
３５　マスターデータ記憶部
３６　作業履歴記憶部
４１　制御・演算部
４２　通信制御部
４６　マスターデータベース
４７　作業履歴データベース
５１　盤面
５２、５３　釘
５４　図柄
５２ａ、５３ａ　釘画像
５４ａ　位置合わせ用の指標
【図１】
2004049769.tif 000003
【図２】
2004049769.tif 000004
【図３】
2004049769.tif 000005
【図４】
2004049769.tif 000006